(57)【特許請求の範囲】
【請求項１】
本体と、前記本体の天面に配された被加熱調理器具を載置する天板と、前記天板の下方に設けられた誘導加熱コイルと、前記誘導加熱コイルに高周波電力を供給する電源回路と、外部操作により前記誘導加熱コイルの通電を始めとする、機器の運転を制御するための信号入力部、及び機器の運転状態を表示する表示部等を有する制御回路と、前記制御回路を略収納する操作部ユニットとを備え、前記天板の外周を覆うトップフレームと、前記天板を下方より支持するアンダーフレームとにより、前記天板を挟持するとともに、前記アンダーフレームの外周端部を略鉛直方向に伸長して腕部を形成し、前記本体の側面外郭を成す側板もしくは前記本体の後面外郭を成す後板のうち少なくともいずれかに締結するとともに、前記トップフレームと前記天板との間、もしくは前記アンダーフレームと前記天板との間の、少なくともいずれか一方を接着剤で接着固定し、前記アンダーフレームの、前記接着剤を塗布する溝部を前記腕部近傍まで延長あるいは拡張するとともに、前記操作部ユニットを、前記天板の前方に操作面を上方に向けて前記トップフレーム内に内側から嵌着するともに、前記アンダーフレームを前方に延長して前記トップフレームと前記操作部ユニット上面との間に介在させて前記トップフレームと前記操作部ユニットとを締結した誘導加熱調理器。
【請求項２】
前記アンダーフレームの前記腕部が鉛直下方に折れ曲がる屈曲部近傍まで接着用の溝を延長した請求項１に記載の誘導加熱調理器。
【請求項３】
前記トップフレームと、前記アンダーフレームとにより、前記天板を挟持し、前記操作部ユニットを前記トップフレームに締結し、前記トップフレームと前記アンダーフレームとを前記操作部ユニット上方もしくは上方近傍で締結してなる請求項１に記載の誘導加熱調理器。
【請求項４】
前記トップフレームと前記アンダーフレームとを、前記操作部ユニットと前記トップフレームとの締結部の近傍で締結してなる請求項３に記載の誘導加熱調理器。
【請求項５】
前記トップフレームと前記アンダーフレームとを、表示用の透明窓部や操作ボタン部等を有して前記操作部ユニット上部を覆うパネルシートの貼付け面で締結した請求項１または
３に記載の誘導加熱調理器。
【請求項６】
前記アンダーフレームの前記腕部の略鉛直面に、立ち上がりに傾斜面を有し外側に凸の張り出し面を形成し、前記張り出し面に側板もしくは後板との締結部を形成してなる請求項１に記載の誘導加熱調理器。
【発明の詳細な説明】
【技術分野】
【０００１】
本発明は、一般家庭の台所や業務用の厨房等で使用される、据え置き型或いは組込型の誘導加熱調理器に関するものである。
【背景技術】
【０００２】
従来この種の誘導加熱調理器における天板の取付け構成は、特に据え置き型のものについては製品の内部スペース等の制約等もあって、本体の天面に配された被加熱調理器具を載置する天板を、前記天板の外周を覆うトップフレームに直接取付けるものが一般的で、その固定方法は両者を接着剤により固定するものが殆どであった（例えば、特許文献１参照）。
【特許文献１】特開２００４−３２７１１２号公報
【発明の開示】
【発明が解決しようとする課題】
【０００３】
しかしながら、前記従来の構成では、トッププレートと天板との接着が不十分で隙間が発生した場合や、たとえ初期は水密性が得られていても、接着強度が不十分な場合に天板上に食材を満たした被加熱調理器具の重さが繰り返し加わることによって接着部がその力に耐えきれなくなって隙間が発生した場合に、その隙間から天板上にこぼれた水等が本体内部に浸入して内部の制御回路等に到達して故障等を引き起こす可能性があるという課題を有していた。
【０００４】
本発明は、前記従来の課題を解決するもので、本体内への水の浸入による故障等を防止し、信頼性を更に高めると共に堅牢性や組立性さらにはデザイン性に優れた誘導加熱調理器を提供することを目的とする。
【課題を解決するための手段】
【０００５】
前記従来の課題を解決するために、本発明の誘導加熱調理器は、本体と、前記本体の天面に配された被加熱調理器具を載置する天板と、前記天板の下方に設けられた誘導加熱コイルと、前記誘導加熱コイルに高周波電力を供給する電源回路と、外部操作により前記誘導加熱コイルの通電を始めとする、機器の運転を制御するための信号入力部、及び機器の運転状態を表示する表示部等を有する制御回路と、前記制御回路を略収納する操作部ユニットとを備え、前記天板の外周を覆うトップフレームと、前記天板を下方より支持するアンダーフレームとにより、前記天板を挟持するとともに、前記アンダーフレームの外周端部を略鉛直方向に伸長して腕部を形成し、前記本体の側面外郭を成す側板もしくは前記本体の後面外郭を成す後板のうち少なくともいずれかに締結するとともに、前記トップフレームと前記天板との間、もしくは前記アンダーフレームと前記天板との間の、少なくともいずれか一方を接着剤で接着固定し、前記アンダーフレームの、前記接着剤を塗布する溝部を前記腕部近傍まで延長あるいは拡張するとともに、前記操作部ユニットを、前記天板の前方に操作面を上方に向けて前記トップフレーム内に内側から嵌着するともに、前記アンダーフレームを前方に延長して前記トップフレームと前記操作部ユニット上面との間に介在させて前記トップフレームと前記操作部ユニットとを締結したものである。
【０００６】
これによって、天板の外周を覆うトップフレームと、天板を下方より支持するアンダーフレームとにより天板を挟持することによってトップフレームと天板の接着部に加わる、被加熱調理器具等の重量による力をアンダーフレームでも受け止めることができるのに加え、天板とアンダーフレームとの当接面も接着面として利用でき、更には接着剤を塗布する溝部を前記腕部近傍まで延長あるいは拡張することで、接着部分の増加による水密性及び接着強度も向上し、堅牢性を更に高めることができ、且つ外観面であるトップフレームに本体との締結部を設けなくても良いのでデザイン性に優れた誘導加熱調理器を実現できるのである。また、トップフレームの前部即ち操作部ユニット取付け部の剛性を上げることができるのである。
【発明の効果】
【０００７】
本発明の誘導加熱調理器によれば、本体内への水の浸入による故障等を防止し、信頼性を更に高めると共に堅牢性や組立性さらにはデザイン性を向上することができる。また、トップフレームの前部即ち操作部ユニット取付け部の剛性を上げることができる。
【発明を実施するための最良の形態】
【０００８】
第１の発明は、本体と、本体の天面に配された被加熱調理器具を載置する天板と、天板の下方に設けられた誘導加熱コイルと、誘導加熱コイルに高周波電力を供給する電源回路と、外部操作により前記誘導加熱コイルの通電を始めとする、機器の運転を制御するための信号入力部、及び機器の運転状態を表示する表示部等を有する制御回路と、制御回路を略収納する操作部ユニットとを備え、天板の外周を覆うトップフレームと、天板を下方より支持するアンダーフレームとにより、天板を挟持するとともに、アンダーフレームの外周端部を略鉛直方向に伸長して腕部を形成し、本体の側面外郭を成す側板もしくは本体の後面外郭を成す後板のうち少なくともいずれかに締結するとともに、トップフレームと天板との間、もしくはアンダーフレームと天板との間の、少なくともいずれか一方を接着剤で接着固定し、アンダーフレームの、接着剤を塗布する溝部を腕部近傍まで延長あるいは拡張するとともに、前記操作部ユニットを、前記天板の前方に操作面を上方に向けて前記トップフレーム内に内側から嵌着するともに、前記アンダーフレームを前方に延長して前記トップフレームと前記操作部ユニット上面との間に介在させて前記トップフレームと前記操作部ユニットとを締結したものとすることにより、天板の外周を覆うトップフレームと、天板を下方より支持するアンダーフレームとにより天板を挟持することによってトップフレームと天板の接着部に加わる、被加熱調理器具等の重量による力をアンダーフレームでも受け止めることができるのに加え、天板とアンダーフレームとの当接面も接着面として利用でき、更には接着剤を塗布する溝部を前記腕部近傍まで延長あるいは拡張することで、接着部分の増加による水密性及び接着強度も向上し、堅牢性を更に高めることができ、且つ外観面であるトップフレームに本体との締結部を設けなくても良いのでデザイン性に優れた誘導加熱調理器を実現できるのである。また、トップフレームの前部即ち操作部ユニット取付け部の剛性を上げることができるのである。
【０００９】
第２の発明は、特に、第１の発明において、前記アンダーフレームの前記腕部が鉛直下方に折れ曲がる屈曲部近傍まで接着用の溝を延長したことにより、腕部に加わる上下方向の力に対して、腕部の水平部分のたわみをなくして、略鉛直方向の部分の引張り方向、あるいは圧縮方向の力のみとなるので、その剛性が更に向上するのである。
【００１１】
第３の発明は、特に、第１の発明において、前記トップフレームと、前記アンダーフレームとにより、前記天板を挟持し、前記操作部ユニットを前記トップフレームに締結し、前記トップフレームと前記アンダーフレームとを前記操作部ユニット上方もしくは上方近傍で締結したことにより、操作部ユニット取付け部の剛性を更に上げることができるのである。
【００１２】
第４の発明は、特に、第３の発明において、前記トップフレームと前記アンダーフレームとを、前記操作部ユニットと前記トップフレームとの締結部の近傍で締結したことにより、種々の締結部の集約が図れて省スペース化することができる。
【００１３】
第５の発明は、特に、第１または第３の発明において、前記トップフレームと前記アンダーフレームとを、表示用の透明窓部や操作ボタン部等を有して前記操作部ユニット上部を覆うパネルシートの貼付け面で締結したことにより、トップフレームとアンダーフレームの締結をより強固なものにできるとともに、締結部をパネルシートで隠すことができるので外観品位を損なうことがない。
【００１４】
第６の発明は、特に、第１の発明において、前記アンダーフレームの前記腕部の略鉛直面に、立ち上がりに傾斜面を有し外側に凸の張り出し面を形成し、前記張り出し面に側板もしくは後板との締結部を形成したことにより、トップフレーム・アンダーフレーム・天版及び操作部ユニット等からなるトップユニットの本体へのセット時に張り出し面が案内となるため、組立て性が向上するのである。
【００１５】
以下、本発明の実施の形態について、図面を参照しながら説明する。なお、この実施の形態によって本発明が限定されるものではない。尚、実施の形態の説明順序は上記に記載の発明の順序とは異なる場合がある。
【００１６】
（実施の形態１）
図１は、本発明の第１の実施の形態における誘導加熱調理器の外観を示すものである。以下、図面を用いて説明する。
【００１７】
本体１の天面には、被加熱調理器具を載置する天板２が配されている。天板２は高耐熱のガラス等の、電磁誘導によって過熱されない材質で構成されている。トップフレーム３は、天板２の外周を囲み、本体の天面の一部もしくは殆ど全部を構成しており、天板２を介して伝わる、被加熱物からの熱に十分耐え、かつ外観部品として見栄えのよく、腐食にも強いステンレスやホーロー処理鋼板等の金属からなっている。
【００１８】
トップフレーム３に形成された操作部４の内部には、後述する操作部ユニット９等が配設されている。
【００１９】
図２は、本発明の第１の実施の形態における誘導加熱調理器の主要構成部品を示す分解斜視図である。但し、実施の形態の説明に不要な構成部分については主要構成であっても省略している。
【００２０】
図２において、天板２の下方には誘導加熱コイル５が近接して設けられている。誘導加熱コイル５はコイルケース６に収納され、本体１内の所定の位置に保持されている。誘導加熱コイル５には電源回路７によって高周波電力が供給される。誘導加熱コイル５及び電源回路７は冷却ファン８の送風によって冷却される。
【００２１】
トップフレーム３の操作部４下方に配設された操作部ユニット９は、外部操作により機器の運転を制御するための信号入力部、及び機器の運転状態を表示する表示部等を有する制御回路等を収納している。
【００２２】
本体１の外郭は、天面の天板２及びトップフレーム３に加えて、左右側面を右側板１０及び左側板１１で、後面を後板１２で、前面をロースターのドア１３や電源スイッチ１５を収納する電源カバー１４等により構成されている。
【００２３】
天板２はトップフレーム３と、天板２下方に配されて天板２を支持するアンダーフレーム１６とにより挟持されている。
【００２４】
天板２の表裏の外周近傍部と、トップフレーム３及びアンダーフレーム１６とは各々、接着剤１７、１８により接合され、水密性を保っている。
【００２５】
アンダーフレーム１６の外周端部は略鉛直方向に伸長し、腕部１９が形成されており、その腕部１９には、ねじ締め用のバーリング穴２０が設けられている。側板１０、１１の相対する箇所には穴部２１が形成されており、アンダーフレーム１６は、第１のねじ２２によって穴部２１を介して側板１０、１１に締結される。
【００２６】
ここで、アンダーフレーム１６の、接着剤１８を塗布する溝部２３は腕部１９近傍まで延長してあり、本図においては特に腕部１９が鉛直下方に折れ曲がる屈曲部２４までで接着用の溝部２３を延長している。
【００２７】
この構成により、天板２の外周を覆うトップフレーム３と、天板２を下方より支持するアンダーフレーム１６とにより天板２を挟持することによってトップフレーム３と天板２の接着部に加わる、被加熱調理器具等の重量による力をアンダーフレーム１６でも受け止めることができるのに加え、天板２とアンダーフレーム１６との当接面も接着面として利用でき更には接着剤１８を塗布する溝部２３を腕部１９近傍まで延長することで、接着部分の増加による水密性及び接着強度も向上し、堅牢性を高めることができ、特に腕部１９の屈曲部２４まで接着用の溝２３を延長したことで、腕部１９に加わる上下方向の力に対して、腕部１９の水平部分のたわみをなくして、略鉛直方向の部分の引張り方向、あるいは圧縮方向の力のみとなるので、その剛性が更に向上するとともに、外観面であるトップフレーム３に本体１との締結部を設けなくても良いのでデザイン性に優れた誘導加熱調理器を実現できるのである。
【００２８】
本実施の形態においてはアンダーフレーム１６を側板１０、１１に締結したものであるが、同様に後板１２との締結であっても、又両方同時であっても良い。
【００２９】
また、図３は第１の実施の形態における要部の締結構成を示す分解斜視図であり、操作部ユニット９は天版２の前方に操作面を上方に向けてトップフレーム３内に内側から嵌着されるが、この時アンダーフレーム１６を前方に延長し、その一部をトップフレーム３と操作部ユニット９上面との間に介在させてトップフレーム３と操作部ユニット９とを第２のねじ２５で締結してある。これにより、トップフレーム３の前部即ち操作部ユニット９取付け部の剛性を上げることができるのである。
【００３０】
また、トップフレーム３とアンダーフレーム１６とを操作部ユニット９上方で、第３のねじ２６で締結したことにより、操作部ユニット９取付け部の剛性を更に上げることができるのである。
【００３１】
ここで、トップフレーム３とアンダーフレーム１６の締結位置は、操作部ユニット９とトップフレーム３との締結部の近傍で締結してあり、これにより種々の締結部の集約が図れて省スペース化することができる。
【００３２】
更に、トップフレーム３とアンダーフレーム１６とは、表示用の透明窓部や操作ボタン部等を有して操作部ユニット９上部を覆うパネルシート２７の貼付け面で締結したことにより、トップフレーム３とアンダーフレーム１６の締結をより強固なものにできるとともに、締結部をパネルシート２７で隠すことができるので外観品位を損なうことがない。
【００３３】
図４及び図５はアンダーフレーム３と右側板１０との締結部の断面を示すもので、アンダーフレーム１６の腕部１９の略鉛直面２８に、立ち上がりに傾斜面を有し外側に凸の張り出し面２９を形成し、その張り出し面２９に右側板１０との締結部を形成してある。
【００３４】
これにより、トップフレーム３・アンダーフレーム１６・天版２及び操作部ユニット９等からなるトップユニットの本体への図５の矢印で示す方向にセット時に張り出し面２９が案内となるため、組立て性が向上するのである。これは左側版１１についても同様である。
【産業上の利用可能性】
【００３５】
以上のように、本発明にかかる誘導加熱調理器は、天板周辺の水密性が不十分な場合でも本体内部の電気部品に浸入水が到達するのを容易に防止でき、堅牢性や組立て性を向上でき、且つデザイン性や使い勝手も損なわないので、同様な構成即ち、天板の外周を枠体で囲った形態の加熱調理機器全般に適用できる。
【図面の簡単な説明】
【００３６】
【図１】本発明の実施の形態１における誘導加熱調理器の外観を示す斜視図
【図２】本発明の実施の形態１における誘導加熱調理器の主要構成部品を示す分解斜視図
【図３】本発明の実施の形態１における誘導加熱調理器の要部の締結構成を示す分解斜視図
【図４】本発明の実施の形態１における誘導加熱調理器の要部を示す拡大断面図
【図５】本発明の実施の形態１における誘導加熱調理器の要部を示す拡大断面図
【符号の説明】
【００３７】
１  本体
２  天板
３  トップフレーム
４  操作部
５  誘導加熱コイル
７  電源回路
９  操作部ユニット
１０  右側板
１１  左側板
１２  後板
１６  アンダーフレーム
１７、１８  接着剤
１９  （アンダーフレームの）腕部
２３  （接着用の）溝部
２４  （腕部の）屈曲部
２７  パネルシート
２９  張り出し面
【図１】
0005076737.tif 000002
【図２】
0005076737.tif 000003
【図３】
0005076737.tif 000004
【図４】
0005076737.tif 000005
【図５】
0005076737.tif 000006